(57)【特許請求の範囲】
【請求項１】
アリを防除するための毒餌剤を収容するアリ用の毒餌剤容器であって、
当該容器の設置場所に置かれる設置用板部を備え、
上記設置用板部の中央寄りの部位には、毒餌剤が載置される載置面部が設けられ、
上記設置用板部の外周側は、バリアフリー構造とされて開放され、
上記設置用板部の外周側には、周縁に行くほど設置場所における設置面に接近するように下降傾斜した傾斜面からなり、アリを該設置用板部の中央側へと案内するためのアリ案内面が形成され、
上記アリ案内面の傾斜角度は、２０゜以下に設定され、
上記アリ案内面の下縁部から上縁部までの長さは、５ｍｍ以下に設定され、
上記設置用板部の上記アリ案内面以外の部分の厚みは０．５ｍｍ以上３．０ｍｍ以下に設定されていることを特徴とするアリ用の毒餌剤容器。
【請求項２】
請求項１の発明において、
設置用板部と対向するように配置される対向板部と、
上記対向板部を上記設置用板部に対し間隔をあけた状態で連結する柱状部とを備え、
上記対向板部は、当該容器の設置場所に置くことが可能に形成されるとともに、バリアフリー構造とされていることを特徴とするアリ用の毒餌剤容器。
【請求項３】
請求項２の発明において、
設置用板部と対向板部との離間方向の寸法は、設置用板部及び対向板部の外形寸法よりも短く設定されていることを特徴とするアリ用の毒餌剤容器。
【請求項４】
請求項３の発明において、
対向板部には、載置面部よりも外側へ延出する庇部が設けられていることを特徴とするアリ用の毒餌剤容器。
【請求項５】
請求項１から４のいずれか１つの発明において、
アリ案内面には滑り止め加工が施されていることを特徴とするアリ用の毒餌剤容器。
【請求項６】
請求項５の発明において、
滑り止め加工は、アリ案内面に施したシボ加工であり、
シボの深さは１３μｍ以上に設定されていることを特徴とするアリ用の毒餌剤容器。
【請求項７】
請求項１から６のいずれか１つの発明において、
複数の容器を連結するための連結部を備え、
上記連結部は、隣り合う容器を分離可能に構成されていることを特徴とするアリ用の毒餌剤容器。
【発明の詳細な説明】
【技術分野】
【０００１】
本発明は、アリを防除するための毒餌剤を収容するアリ用の毒餌剤容器に関するものである。
【背景技術】
【０００２】
従来から、この種の匍匐害虫用の毒餌剤容器としては各種考案されており、例えば、特許文献１には、底板材と上板材との間に毒餌剤を収容するように構成されたものが開示されている。特許文献１の容器の底板材の外周側には、上方へ突出して縁部に沿うように延びる突条部が形成され、また、上板材の外周側には、下方へ突出する同様な突条部が形成されている。底板材の突条部と上板材の突条部との先端面同士が接合されて、毒餌剤を囲むような周壁部を構成している。
【０００３】
また、特許文献２の容器も、底板材と上板材とを備えている。底板材には、毒餌剤を囲むように延びる周壁部が形成されている。
【０００４】
また、特許文献３の容器は、２枚の側板材の間に毒餌剤を収容するように構成されている。容器の底部には、毒餌剤の収容部分よりも外側に、毒餌剤の周囲を囲むような形状のスロープが設けられている。
【先行技術文献】
【特許文献】
【０００５】
【特許文献１】実開昭５８−１１０２８５号公報
【特許文献２】実開昭６２−１３１７６号公報
【特許文献３】特開２００１−３７３９６号公報
【発明の概要】
【発明が解決しようとする課題】
【０００６】
ところで、アリやゴキブリ等の匍匐害虫は、地面や屋内の床面等を匍匐しながら移動しており、しかも、障害物等には極めて敏感に反応する習性を持っている。従って、特許文献１、２の容器のように、毒餌剤を囲む周壁部が存在していると、容器を地面等に置いた際に、匍匐害虫から見ると周壁部が大きな障害物として認識される。また、特許文献３の容器のスロープも毒餌剤を囲むような形状である。アリ等の小型害虫では、特許文献１、２の周壁部や特許文献３のスロープを乗り越えることは難しく、ひいては、毒餌剤に達し難くなり、匍匐害虫の防除力が低下してしまう。
【０００７】
また、毒餌剤には、一般に、匍匐害虫を誘引するための誘引成分が混入されている。ところが、特許文献１、２の容器の周壁部は毒餌剤を囲んでいるので、誘引成分が容器の周りに広範囲に拡散しにくくなっている。また、特許文献３の容器もスロープが毒餌剤を囲んでいるので、誘引成分が拡散しにくい。このことにより、例えば臭覚の発達したゴキブリ等の匍匐害虫の防除力が低下してしまう。
【０００８】
本発明は、かかる点に鑑みてなされたものであり、その目的とするところは、誘引成分を広範囲に拡散させることができるようにするとともに、アリが乗り越えるのが難しい様な高さを有する周壁部等の障害物を除去して、アリの防除力を向上させることにある。
【課題を解決するための手段】
【０００９】
上記目的を達成するために、本発明では、毒餌剤が載置される板部の外周側をバリアフリー構造として開放するようにした。
【００１０】
第１の発明は、アリを防除するための毒餌剤を収容するアリ用の毒餌剤容器であって、当該容器の設置場所に置かれる設置用板部を備え、上記設置用板部の中央寄りの部位には、毒餌剤が載置される載置面部が設けられ、上記設置用板部の外周側は、バリアフリー構造とされて開放され、上記設置用板部の外周側には、周縁に行くほど設置場所における設置面に接近するように下降傾斜した傾斜面からなり、アリを該設置用板部の中央側へと案内するためのアリ案内面が形成され、上記アリ案内面の傾斜角度は、２０゜以下に設定され、上記アリ案内面の下縁部から上縁部までの長さは、５ｍｍ以下に設定され、上記設置用板部の上記アリ案内面以外の部分の厚みは０．５ｍｍ以上３．０ｍｍ以下に設定されていることを特徴とするものである。
【００１１】
この構成によれば、設置用板部の外周側に周壁部が無く開放されているので、設置用板部の載置面部に載置された毒餌剤に含まれる誘引成分は、設置用板部の外周側から容器の周りに広範囲に拡散し易くなる。また、アリにとっては乗り越えるのが難しい様な高さを有する周壁部等の障害物が無いことにより、本発明の容器に対しては従来例のものに比べて毒餌剤への接近性（毒餌剤への接近のし易さ）が格段に向上することとなる。
【００１２】
また、アリをアリ案内面によって毒餌剤へ案内することが可能になる。
【００１３】
また、アミメアリ及びクロヤマアリ等の人家周辺によく現れるアリを対象とした場合、これらアリはアリ案内面の角度が２０゜以下であれば、アリ案内面を大きな障害物として認識し難く、しかも、アリ案内面を歩行する際に脚が滑り難くなる。よって、上記角度以下とすることで、アリをアリ案内面によって毒餌剤へ効果的に案内することが可能になる。
【００１４】
また、アミメアリ及びクロヤマアリ等の人家周辺によく現れるアリは、体長が数ｍｍ〜５ｍｍ程度である。これらアリを対象とした場合、アリ案内面の長さが体長程度もしくは体長の２倍程度であれば、アリ案内面を大きな障害物として認識し難くなる。よって、上記範囲の長さとすることで、アリをアリ案内面によって毒餌剤へ効果的に案内することが可能になる。
【００１５】
第２の発明は、第１の発明において、設置用板部と対向するように配置される対向板部と、上記対向板部を上記設置用板部に対し間隔をあけた状態で連結する柱状部とを備え、上記対向板部は、当該容器の設置場所に置くことが可能に形成されるとともに、バリアフリー構造とされていることを特徴とするものである。
【００１６】
この構成によれば、対向板部を容器の設置場所に置くことが可能になるので、設置用板部と対向板部のどちら側を設置場所に置いてもよく、設置の自由度が向上する。そして、対向板部もバリアフリー構造であるので、上述したようにアリが毒餌剤まで達し易くなる。
【００１７】
第３の発明は、第２の発明において、設置用板部と対向板部との離間方向の寸法は、設置用板部及び対向板部の外形寸法よりも短く設定されていることを特徴とするものである。
【００１８】
この構成によれば、例えば、容器を地面に放り投げることによって設置する場合に、設置用板部と対向板部との離間方向の寸法が両板部の外形寸法よりも短いので、設置用板部又は対向板部のいずれかが地面に接するように倒れ易い形状となる。これにより、放り投げることによって設置しても、所期の防除力が得られるようになる。
【００１９】
第４の発明は、第３の発明において、対向板部には、載置面部よりも外側へ延出する庇部が設けられていることを特徴とするものである。
【００２０】
この構成によれば、容器を外側から見ると、毒餌剤が奥まったところに位置することになるので、アリが好んで出入りする暗い環境を作り出すことが可能になる。
【００２１】
第５の発明は、第１から４のいずれか１つの発明において、アリ案内面には滑り止め加工が施されていることを特徴とするものである。
【００２２】
この構成によれば、アリがアリ案内面を通って毒餌剤まで容易に達するようになる。
【００２３】
第６の発明は、第５の発明において、滑り止め加工は、アリ案内面に施したシボ加工であり、シボの深さは１３μｍ以上に設定されていることを特徴とするものである。
【００２４】
すなわち、毒餌剤容器を屋外に置いた場合には、アリ案内面に埃等が付着することがある。アミメアリ及びクロヤマアリ等の人家周辺によく現れるアリを対象とした場合、シボの深さが１３μｍ以上であれば、アリ案内面に埃等が付着していても、アリの脚が滑り難くなり、アリをアリ案内面によって毒餌剤へ効果的に案内することが可能になる。
【００２５】
第７の発明は、第１から６のいずれか１つの発明において、複数の容器を連結するための連結部を備え、上記連結部は、隣り合う容器を分離可能に構成されていることを特徴とするものである。
【００２６】
この構成によれば、使用前に連結部によって複数の容器を連結しておくことで、搬送時には一体化されて取扱いが容易になる。一方、使用時には容器を分離させることで、別々の場所に設置することが可能になる。
【発明の効果】
【００２７】
第１発明によれば、毒餌剤が載置される設置用板部の外周側をバリアフリー構造として開放したので、毒餌剤に含まれる誘引成分を容器の周りに広範囲に拡散させることができるとともに、特にアリにとっては乗り越えるのが難しい高さの周壁部を取り除くことができる。これにより、アリが毒餌剤まで達し易くなり、アリの防除力を向上させることができる。
【００２８】
第２の発明によれば、設置用板部に対向板部を連結し、この対向板部を容器の設置場所に置けるようにし、しかも、バリアフリー構造としたので、防除力を向上させながら、設置の自由度を高めて扱い易い容器にすることができる。
【００２９】
第３の発明によれば、設置用板部と対向板部との離間方向の寸法を、設置用板部及び対向板部の外形寸法よりも短くしたので、容器を放り投げるようにして設置しても、所期の防除力を得ることができ、より一層扱い易い容器にすることができる。
【００３０】
第４の発明によれば、対向板部に、載置面部よりも外側へ延出する庇部を設けたので、アリが好んで出入りする環境を作り出すことができ、防除力をより一層向上できる。
【００３１】
第５、６の発明によれば、アリ案内面に滑り止め加工を施したことで、アリが毒餌剤まで達し易くなり、防除力をより一層向上できる。
【００３２】
第７の発明によれば、複数の容器を連結するための連結部を備え、連結部は、隣り合う容器を分離可能に構成されているので、複数の容器の搬送時に取扱いを容易にできる。
【図面の簡単な説明】
【００３３】
【図１】実施形態１にかかる容器の斜視図である。
【図２】実施形態１にかかる容器の平面図である。
【図３】実施形態１にかかる容器の底面図である。
【図４】実施形態１にかかる容器の正面図である。
【図５】実施形態１にかかる容器の背面図である。
【図６】実施形態１にかかる容器の左側面図である。
【図７】図２におけるVII−VII線断面図である。
【図８】図６におけるVIII−VIII線断面図である。
【図９】実施形態１にかかる容器の使用状態を説明する図である。
【図１０】設置用板部の一部を拡大して示す側面図である。
【図１１】実施形態１にかかる複数の容器を連結した状態の斜視図である。
【図１２】実施形態１にかかる複数の容器を連結した状態の平面図である。
【図１３】実施形態１にかかる容器を分離した状態の平面図である。
【図１４】実施形態１の変形例にかかる図１相当図である。
【図１５】実施形態２にかかる図１相当図である。
【図１６】実施形態２にかかる図２相当図である。
【図１７】実施形態２にかかる図３相当図である。
【図１８】実施形態２にかかる図４相当図である。
【図１９】図１６におけるXVIII−XVIII線断面図である。
【図２０】図１８におけるXIX−XIX線断面図である。
【図２１】図１８におけるXX−XX線断面図である。
【図２２】実施形態２にかかる図９相当図である。
【図２３】実施形態２にかかる図１２相当図である。
【図２４】実施形態２にかかる図１３相当図である。
【発明を実施するための形態】
【００３４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３５】
（実施形態１）
図１は、本発明の実施形態１にかかるアリ用の毒餌剤容器１を示すものである。容器１には、詳細は後述するが、アリを防除するための毒餌剤Ａ（図９に示す）が収容されるようになっている。毒餌剤Ａが収容された容器１は、例えば、屋外の地面や、屋内の床面（図９に符号Ｇで示す）等の設置場所に設置される。この容器１が防除対象としているアリは、アルゼンチンアリ、トビイロケアリ、ルリアリ、イエヒメアリ等である。
【００３６】
図１〜図７に示すように、容器１は、設置場所に置かれる設置用板部１０と、設置用板部１０と対向するように配置される対向板部２０と、対向板部２０を設置用板部１０に対し間隔をあけた状態で連結する第１〜第３柱状部３１〜３３とを備えている。
【００３７】
設置用板部１０は、樹脂材を略平板状に成形してなるものである。図３に示すように、設置用板部１０の形状は、容器１の底面から見て、５枚の花びらを有する花をモチーフにした形状であり、全体が例えば透光性を有する薄いピンク色等に着色されている。設置用板部１０の外周側には、花びらを形作るように延出した第１〜第５延出部１１〜１５が設けられている。これら延出部１１〜１５は同じ形状であり、設置用板部１０の周方向に等間隔に配置されて放射状に延び、図９に示す設置面Ｇに沿うような形状となっている。
【００３８】
図７に示すように、設置用板部１０における容器１内側に位置する内面１０ａには、対向板部２０側へ向けて突出して周方向に延びる突条部１６が形成されている。図８に示すように、突条部１６は、平面視で円環を形成するように周方向に連続していて、その中心は、設置用板部１０の中心と略一致している。
【００３９】
突条部１６の幅は、全周に亘って同じに設定されている。図７に示すように、突条部１６の高さは、該突条部１６の幅方向の中央部よりも、設置用板部１０の中心に寄った部位が最も高くなっており、この最も高い部分は、設置用板部１０の内面１０ａからの高さｈ１が、３ｍｍ以下に設定されている。その理由としては、外部から容器１内に雨水等の水が侵入するのを防止する機能、あるいは毒餌剤Ａが容器１から脱落するのを防止する機能を維持しつつ、アリの接近性（毒餌剤Ａへの接近のし易さ）に支障のない程度の高さとするためである。
【００４０】
突条部１６の外周側を構成する外周面１６ａは、設置用板部１０の中心側に行くほど対向板部２０に近づくように傾斜する傾斜面で構成されている。また、突条部１６の内周側を構成する内周面１６ｂは、設置用板部１０の外側に行くほど対向板部２０に近づくように傾斜する傾斜面で構成されている。内周面１６ｂの外縁は、外周面１６ａの内縁に連なっている。従って、突条部１６の縦方向の断面は略三角形状となっている。
【００４１】
外周面１６ａの傾斜度合いは、内周面１６ｂの傾斜度合いよりも小さく設定されており、外周面１６ａが比較的緩やかになっている。また、外周面１６ａには、アリの滑り止めとなるように、シボ加工（滑り止め加工）が全周に亘って形成されている。尚、外周面１６ａには、シボ以外の滑り止め加工を施してもよく、例えば、微小な凸又は凹を形成してもよい。
【００４２】
設置用板部１０の内面１０ａのうち、突条部１６よりも内側部分は毒餌剤Ａが載置される毒餌剤載置面１０ｃとされている。毒餌剤載置面１０ｃは、略平面で構成されている。この毒餌剤載置面１０ｃと、第１〜第５延出部１１〜１５の内面とは、略同一面上に位置するようになっている。
【００４３】
図９にも示すように、設置用板部１０の内面１０ａの外周側には、アリを設置用板部１０の中央側へと案内するための傾斜面（アリ案内面）１０ｄが形成されている。傾斜面１０ｄは、設置用板部１０の外周縁に行くほど設置場所の面Ｇに接近するような傾斜角度となっている。
【００４４】
図１０に示す傾斜面１０ｄの傾斜角度αは、２０゜以下に設定されている。これは、人家周辺によく現れるアリを対象として、当該アリが毒餌剤Ａまで到達し易い角度を本発明者らが実験により得て設定されたものである。傾斜面１０ｄ上には、タルクを散布して、人工的に滑りやすい状況（屋外に放置されて埃が付着した状況）を作った。タルクの散布量は、１平方センチメートルあたり０．０５〜０．０８ｍｇである。また、散布したタルクは、健栄製菓株式会社製の「タルクケンエ」である。
【００４５】
この実験に用いたアリは、アミメアリ、クロヤマアリである。実験では傾斜面１０ｄの角度を１０゜から４５゜まで変更し、アミメアリ及びクロヤマアリをそれぞれ５匹用意し１匹ずつ傾斜面１０ｄに載せて上に向かって歩行するか観察した。その結果、傾斜面１０ｄの角度が２０゜を越えると、アミメアリ及びクロヤマアリの両方で脚を滑らせてしまうアリが多く（全体の８０％）、一方、２０゜以下にすると、アミメアリ及びクロヤマアリの両方で傾斜面１０ｄを上に向かって歩行するアリが多い（全体の８０％）。また、傾斜面１０ｄの角度が２０゜を越えると、アリの中には傾斜面１０ｄを大きな障害物として認識するものが多く、傾斜面１０ｄを下へ歩行するようになる傾向が見られた。一方、傾斜面１０ｄの角度が２０゜以下であると、傾斜面１０ｄを大きな障害物として認識し難くなり、傾斜面１０ｄを上へ歩行するようになる傾向が見られた。
【００４６】
つまり、傾斜面１０ｄの角度を２０゜以下とすることで、アリが傾斜面１０ｄを大きな障害物として認識し難く、しかも、傾斜面１０ｄを歩行する際に脚が滑り難くなるので、アリを傾斜面１０ｄによって毒餌剤Ａへ効果的に案内することが可能になる。尚、傾斜面１０ｄの角度は１８゜以下が好ましく、より好ましくは１５゜である。傾斜角度が１５゜あれば、毒餌剤容器１内に雨水等が入り難くなる。
【００４７】
傾斜面１０ｄは、図８に示すように、設置用板部１０の略全周に亘るように形成されており、第１〜第５延出部１１〜１５の形状に対応して、平面視で湾曲しながら延びている。傾斜面１０ｄの形成によって、設置用板部１０の外周側の厚みは外周縁に行くほど薄くなっている。また、傾斜面１０ｄには、上記突条部１６の外周面１６ａと同様に滑り止め加工が施されている。
【００４８】
滑り止め加工としては、シボ加工が好ましい。シボ加工のシボの深さは、１３μｍ以上に設定されている。これは、人家周辺によく現れるアリを対象として、当該アリが毒餌剤Ａまで到達し易いか否かを本発明者らが実験により得て設定されたものである。
【００４９】
実験に用いたアリは、上記と同じアミメアリ、クロヤマアリである。シボの深さは、５μｍ〜１２０μｍまで複数段階に変化させ、アミメアリ及びクロヤマアリを１匹ずつ傾斜面１０ｄ上に載せて傾斜面１０ｄを上に向かって歩行するか観察した。このとき、傾斜面１０ｄ上には、タルクを散布して、人工的に滑りやすい状況を作った。タルクの散布量は、１平方センチメートルあたり０．０５〜０．０８ｍｇである。また、この実験においては、傾斜面１０ｄの角度を２０゜、３０゜、４５゜に変化させている。
【００５０】
小型種であるアミメアリの場合は、傾斜面１０ｄに形成したシボの深さが例えば５μｍでは、傾斜角度が２０゜であれば略全てのアリが傾斜面１０ｄを上に歩行できたが、傾斜角度が３０゜、４５゜では略全てのアリが脚を滑らせて傾斜面１０ｄを上に歩行できなかった。一方、シボの深さが１３μｍでは、傾斜角度が２０゜、３０゜であれば略全てのアリが傾斜面１０ｄを上に歩行でき、また、傾斜角度が４５゜であれば６０％のアリが傾斜面１０ｄを上に歩行できた。
【００５１】
大型種のクロヤマアリの場合は、傾斜面１０ｄに形成したシボの深さが例えば５μｍでは、傾斜角度が２０゜であれば略全てのアリが傾斜面１０ｄを上に歩行できたが、傾斜角度が３０゜、４５゜では略全てのアリが脚を滑らせて傾斜面１０ｄを上に歩行できなかった。一方、シボの深さが１３μｍでは、傾斜角度が２０゜であれば略全てのアリが傾斜面１０ｄを上に歩行でき、また、傾斜角度が３０゜であれば、６０％のアリが傾斜面１０ｄを上に歩行でき、また、傾斜角度が４５゜であれば８０％のアリが傾斜面１０ｄを上に歩行できた。
【００５２】
従って、シボの深さを１３μｍ以上にすることで、毒餌剤容器１が屋外に放置されて傾斜面１０ｄ上に埃が付着した状況であっても、アリが脚を滑らせ難く、アリを傾斜面１０ｄによって毒餌剤Ａへ効果的に案内することが可能になる。尚、シボの深さの上限は、１００μｍが好ましく、より好ましくは５０μｍである。シボが深くなり過ぎるとアリが警戒するためである。
【００５３】
また、図１０に示す傾斜面１０ｄの下縁部から上縁部までの長さＬは、２ｍｍ以上５ｍｍ以下に設定するのが好ましい。これは、人家周辺によく現れるアリを対象として、当該アリが毒餌剤Ａまで到達し易い長さを本発明者らが実験により得て設定されたものである。
【００５４】
実験では傾斜面１０ｄの長さＬを１ｍｍから２０ｍｍまで変更し、アミメアリ及びクロヤマアリを１匹ずつ設置面上に置き、傾斜面１０ｄを上に向かって歩行するか観察した。その結果、傾斜面１０ｄの長さＬが５ｍｍを越えると、アミメアリ及びクロヤマアリの両方が傾斜面１０ｄを大きな障害物として認識するものが多く、下へ歩行し、最終的に傾斜面１０ｄを登り切ることができない。これは、成虫のアミメアリの体長が約３ｍｍ程度で、成虫のクロヤマアリの体長が約５ｍｍ程度であり、傾斜面１０ｄの長さＬが、これらアリの体長よりも大幅に長い（体長の２．５倍〜３倍以上）と傾斜面１０ｄを大きな障害物として認識し易くなることに起因している。
【００５５】
つまり、傾斜面１０ｄの長さＬを５ｍｍ以下とすることで、傾斜面１０ｄを大きな障害物として認識し難くなり、アリを傾斜面１０ｄによって毒餌剤Ａへ効果的に案内することが可能になる。  
【００５６】
傾斜面１０ｄの角度を上述した２０゜以下とし、かつ、傾斜面１０ｄの長さＬを５ｍｍ以下とすることで、設置用板部１０の内面１０ａは低い所に位置することになる。これにより、バリアフリー構造が実現される。
【００５７】
設置用板部１０の延出部１１〜１５における傾斜面１０ｄ以外の部分の厚みＴ（図９に示す）は、０．５ｍｍ以上３．０ｍｍ以下に設定されている。これにより、第１〜第５延出部１１〜１５がアリの障害となりにくい。また、設置用板部１０は、匍匐状態のアリの頭部位置よりも高い所まで延びるような周壁部の無い、いわゆるバリアフリー構造とされており、容器１の側部は開放されるようになっている。
【００５８】
尚、設置用板部１０の外周側には、匍匐状態にあるアリの頭部位置よりも低い高さの突条を設けてもよく、この程度の低い突条であれば、アリの警戒心がそれほど高まることはない。
【００５９】
図３に示すように、設置用板部１０の容器１外側に位置する外面１０ｂには、第１凹部１１ａ〜１５ａが形成されている。これら第１凹部１１ａ〜１５ａは、それぞれ、第１〜第５延出部１１〜１５の中央部に位置している。また、設置用板部１０の外面１０ｂには、隣り合う延出部１１〜１５の間に対応する部分に第２凹部１０ｇが形成されている。
【００６０】
図２に示すように、対向板部２０は、設置用板部１０と同じ形状とされている。すなわち、対向板部２０は、第１〜第５延出部２１〜２５を有し、また、図７に示すように、対向板部２０の内面２０ａには、外周面２６ａ及び内周面２６ｂを有する突条部２６と、後述するアリ案内面となる傾斜面２０ｄとが形成されている。対向板部２０の外面２０ｂには、図１及び図２に示すように、第１凹部２１ａ〜２５ａと、第２凹部２０ｇとが形成されている。
【００６１】
また、対向板部２０は、設置用板部１０と同様に、周壁部の無いバリアフリー構造とされており、従って、容器１の側部は設置用板部１０側から対向板部２０側に亘って全体が開放されている。さらに、対向板部２０は、設置用板部１０と略平行である。
【００６２】
図２や図３に破線で示すように、第１〜第３柱状部３１〜３３は、略円形断面を有している。図４〜図６に示すように、第１〜第３柱状部３１〜３３は、それぞれ、設置用板部１０と一体成形される基端側部３１ａ〜３３ａと、対向板部２０と一体成形される先端側部３１ｂ〜３３ｂとを備えている。
【００６３】
尚、基端側部３１ａ〜３３ａの長さと、先端側部３１ｂ〜３３ｂの長さとは、同じにしてもよいし、異ならせてもよい。
【００６４】
図８に示すように、第１柱状部３１の基端側部３１ａは、設置用板部１０の内面における第１延出部１１と第２延出部１２との間から突出している。第２柱状部３２の基端側部３２ａは、設置用板部１０の内面における第３延出部１３と第４延出部１４との間から突出している。第３柱状部３３の基端側部３３ａは、設置用板部１０の内面における第１延出部１１と第５延出部１５との間から突出している。
【００６５】
また、同様に、第１柱状部３１の先端側部３１ｂは、対向板部２０の内面における第１延出部２１と第２延出部２２との間から突出している。第２柱状部３２の先端側部３２ｂは、対向板部２０の内面における第３延出部２３と第４延出部２４との間から突出している。第３柱状部３３の先端側部３３ｂは、対向板部２０の内面における第１延出部２１と第５延出部２５との間から突出している。
【００６６】
基端側部３１ａ〜３３ａの先端面は、先端側部３１ｂ〜３３ｂの突出方向先端面と溶着されている。溶着時に用いられる方法としては、例えば超音波溶着法が挙げられるが、これ以外の方法で溶着するようにしてもよいし、例えば、接着剤で接着するようにしてもよい。
【００６７】
容器１の設置用板部１０と対向板部２０との離間方向の寸法ｈ２は、設置用板部１０及び対向板部２０の外形寸法Ｗ１よりも十分に小さく設定されている。従って、容器１は、例えば放り投げられた際に、設置用板部１０と対向板部２０との一方が設置場所に接するように倒れ易い、扁平形状となっており、設置用板部１０及び対向板部２０が鉛直に延びるような姿勢で立つことは殆ど無いように設計されている。尚、設置用板部１０及び対向板部２０の外形寸法Ｗ１は、例えば、２５ｍｍ以上５０ｍｍ以下に設定されており、小型の容器１となっている。
【００６８】
図９に示すように、容器１に収容される毒餌剤Ａは、略球状に成形されており、設置用板部１０の毒餌剤載置面１０ｃに載置されている。毒餌剤Ａの直径は、設置用板部１０の内面１０ａと対向板部２０の内面２０ａとの離間寸法ｈ２（図４に示す）よりも予め大きめに設定されている。そして、毒餌剤Ａは、毒餌剤載置面１０ｃに載置された状態で、対向板部２０の内面２０ａにおける突条部２６よりも内側の面にも接触するようになっている。この状態で毒餌剤Ａが僅かに押し潰された状態で容器１に保持される。
【００６９】
毒餌剤Ａは、フィプロニル（殺虫成分）、溶剤、ホウ酸、グリセリン、煮干を粉末状にした煮干粉、グラニュー糖、水飴、マッシュポテトを乾燥させた乾燥マッシュポテト、ビトレックス（安息香酸デナトニウム）、イオン交換水を混合してなるものである。ホウ酸は、防腐剤の目的で混合している。また、グリセリン及び水飴は、保湿剤の目的で混合している。また、煮干粉、グラニュー糖は、アリを誘引するための誘引剤である。また、乾燥マッシュポテトは、毒餌剤Ａの基材になるとともに、誘引剤としても作用する。ビトレックスは毒餌剤Ａに強い苦みを与えて誤飲防止を図るものである。
【００７０】
毒餌剤Ａの成分中、アリが好むグラニュー糖の重量割合が最も多く、このグラニュー糖は水飴に溶解している。すなわち、グラニュー糖が析出しないように水飴の量が設定されている。また、保湿剤として作用する水飴及びグリセリンを混合していることで、毒餌剤Ａにはしっとりとした感触を与えることが可能となっている。アリは、しっとりとした（保湿されている）毒餌剤Ａを好むので、水飴及びグリセリンの量を調整することでアリの好む程度のしっとり感を与えている。また、水分が毒餌剤Ａから垂れ出さないように、グリセリンの量が適切に設定されている。さらに、煮干粉及び乾燥マッシュポテトを混合させることで、長期間に亘って所定形状を維持できる形状維持性が得られる。
【００７１】
また、水飴の粘性と、煮干粉及び乾燥マッシュポテトの形状維持性とにより、毒餌剤Ａが、常温雰囲気から夏場の外気温程度の高温雰囲気中において垂れにくい性質を有する高粘度のペースト状になる。
【００７２】
尚、グラニュー糖の代わりに、上白糖や三温糖、黒砂糖等を用いてもよく、これらを混合したものを用いてもよい。つまり、毒餌剤Ａにはショ糖が含まれていればよい。
【００７３】
また、毒餌剤Ａには、米粉、米ぬか、トウモロコシ粉、小麦粉、でんぷん等の粉体を混合させてもよい。
【００７４】
上記毒餌剤Ａは、上記の成分を有していて、特に水飴の持つ粘着性により、設置用板部１０の毒餌剤載置面１０ｃに粘着し、また、対向板部２０の内面２０ａにも粘着する。このとき、毒餌剤Ａは上述の形状維持性を備えているので、搬送等の通常の取扱いで容器１から外れて落ちることはなく、また、垂れたりすることもない。
【００７５】
図１１及び図１２に示すように、使用前の容器１は、１０個が連結された状態で一体化されている。容器１の対向板部２０の外縁部には、隣接する容器１の対向板部２０の外縁部に連結する連結片８１が形成されている。また、設置用板部１０の外縁部にも、同様な連結片８０が形成されている。
【００７６】
各容器１の設置用板部１０は、連結片８０を介して一体成形され、また、対向板部２０は、連結片８１を介して一体成形されるようになっている。対向板部２０の連結片８１は、設置用板部１０の連結片８０よりも脆弱に形成されており、後述する超音波溶着時の振動によって割れて分離するようになっている。分離後の連結片８１を、図１３に符号８１ａ、８１ｂで示す。符号８１ａは図１等にも示す。また、設置用板部１０の連結部８０は、折り曲げ方向に力を加えることで割れて分離するようになっている。分離後の連結片８０を、同図に符号８０ａ、８０ｂで示す。符号８０ａは図１等にも示す。
【００７７】
１０枚の設置用板部１０の第１〜第３柱状部３１〜３３の基端側部３１ａ〜３３ａのうち、任意の数個は、対向板部２０の先端側部３１ｂ〜３３ｂに嵌って位置決めされるようになっている。すなわち、図７に示すように、所定の容器１の基端側部３２ａの先端面には凹部４５が形成され、この凹部４５の形成された基端側部３２ａに対応する先端側部３２ｂには凹部４５に嵌合する凸部４６が形成されている。
【００７８】
次に、上記のように構成された容器１の製造要領について説明する。まず、１０枚の設置用板部１０を縦２枚、横５枚となるように並んだ状態となるように、かつ、連結部８０により連結された状態となるように一体成形する。また、１０枚の対向板部２０を同様に、連結部８１により連結された状態となるように一体成形する。
【００７９】
次いで、毒餌剤Ａを各設置用板部１０の毒餌剤載置面１０ｃに載置する。
【００８０】
その後、設置用板部１０の上から対向板部２０を被せるように配置し、図７に示すように、凸部４６を凹部４５に嵌合させる。これにより、対向板部２０が設置用板部１０に位置決めされる。その後、対向板部２０を周知の超音波溶着機によって振動させることで、各柱状部３１〜３３の基端側部３１ａ〜３３ａが先端側部３１ｂ〜３３ｂに溶着する。この溶着時には、振動によって対向板部２０の連結部８１が分離するので、各容器１は、設置用板部１０の連結部８０のみで連結された状態となっている。
【００８１】
尚、超音波溶着時に、設置用板部１０の連結部８０を分離させるようにして、容器１を対向板部２０の連結部８１のみで連結してもよい。
【００８２】
このようにして、図１１に示すように１０個の容器１が一体化した製品１００が得られる。この製品１００は例えば樹脂フィルム等で包装されて流通する。各容器１が設置用板部１０の連結部８０で連結されているので、使用前まで、各容器１が分離することはなく、取扱いが容易である。
【００８３】
そして、使用する際には、容器１を手で持って設置用板部１０の連結部８０を折るように力を加えるだけで連結部８０が割れ、容器１を分離させて任意の複数箇所に置くことができる。
【００８４】
各容器１を設置場所に設置する際には、放り投げればよい。容器１の設置用板部１０と対向板部２０との離間方向の寸法ｈ２を、設置用板部１０及び対向板部２０の外形寸法Ｗ１よりも十分に小さく設定して容器１を扁平形状としているので、放り投げるだけで、設置用板部１０又は対向板部２０が設置場所に接する姿勢となる。
【００８５】
図９に基づいて、容器１が、設置用板部１０が設置場所に接する姿勢で置かれた場合について説明する。設置用板部１０の外周側に周壁部が無く開放されているので、毒餌剤Ａの誘引成分は、設置用板部１０の外周側から容器１の周りに広範囲に拡散し易くなる。アリの様な小型害虫にとっては、乗り越えられない様な高さを有する障害物となる周壁部が無いことになり、よって、アリが毒餌剤Ａまで容易に到達できることとなる。つまり、容器１の構造は、アリが毒餌剤Ａまで到達するのを阻害しないような構造となっている。
【００８６】
また、対向板部２０の第１〜第５延出部２１〜２５は、毒餌剤Ａよりも外側へ延出しているので、容器１の庇部として機能することになる。これにより、容器１を外側から見ると、毒餌剤Ａが奥まったところに位置することになるので、ゴキブリ等が好んで出入りする暗い環境を容器１内部に作り出すことが可能になる。また、屋外で雨等が降った際に雨水が毒餌剤Ａに直接付着してしまうのを抑制できる。
【００８７】
一方、対向板部２０が設置場所に接する姿勢で設置された場合について説明する。この場合も、対向板部２０の外周側に周壁部が無く開放されているので、上記したように、誘引成分が拡散し易くなることにより、臭覚の発達したゴキブリ等の誘引性が向上し、かつ、小型害虫であるアリ等にとって乗り越え難い障害物となる周壁部が無いことにより、毒餌剤Ａまで達し易くなる。
【００８８】
つまり、容器１を放り投げた際に、設置用板部１０と対向板部２０とのどちらが設置場所に接する姿勢となっても、同程度の高い防除力が得られるので、設置時の方向性が無く、取扱いが容易である。
【００８９】
以上説明したように、この実施形態１にかかる容器１によれば、設置用板部１０の外周側をバリアフリー構造として開放したので、小型のアリ等が毒餌剤Ａまで達し易くなり、アリの防除力を向上させることができる。また、毒餌剤Ａの誘引成分を容器１の周りに広範囲に拡散させることができることから、臭覚の発達したゴキブリ等の誘引効果を向上でき、防除力を向上させることができる。
【００９０】
また、設置用板部１０に対向板部２０を連結し、この対向板部２０も設置場所の設置面Ｇに置けるようにし、しかも、バリアフリー構造としたので、防除力を向上させながら、設置の自由度を高めて扱い易い容器１にすることができる。
【００９１】
また、図４に示すように、設置用板部１０と対向板部２０との離間方向の寸法ｈ２を、設置用板部１０及び対向板部２０の外形寸法Ｗ１よりも短くして容器１を扁平形状としたので、放り投げるようにして設置しても、設置用板部１０と対向板部２０のいずれかを設置面Ｇに接触させることができ、所期の防除力を得ることができる。
【００９２】
また、設置用板部１０の外周側に傾斜面１０ｄを設けてアリを容器１の内側まで案内可能にしたので、アリの防除力をより一層向上できる。
【００９３】
また、傾斜面１０ｄに滑り止め加工を施したことで、アリが毒餌剤Ａまで達し易くなり、防除力をより一層向上できる。
【００９４】
また、複数の容器１を設置用板部１０の連結部８０により連結するようにしたので、複数の容器１の搬送時に取扱いを容易にできる。
【００９５】
また、対向板部２０に、載置面部１０ｃよりも外側へ延出する第１〜第５延出部２１〜２５を設けたので、設置用板部１０が設置面Ｇに接する姿勢で容器１が設置された際に、第１〜第５延出部２１〜２５を庇部として機能させることができる。これにより、アリが好んで出入りする環境を作り出すことができ、防除力をより一層向上できる。また、対向板部２０が設置面Ｇに接する姿勢で設置された際には、設置用板部１０の第１〜第５延出部１１〜１５が庇部として機能することになる。
【００９６】
尚、上記実施形態１では、各容器１に柱状部を３本設けているが、柱状部の数はこれに限られるものではない。例えば、図１４に示す変形例のように、各容器１に５本の柱状部３５を設けるようにしてもよい。この変形例では、各柱状部３５が設置用板部１０の第１〜第５延出部１１〜１５と、対向板部２０の第１〜第５延出部２１〜２５とを連結するように延びている。また、各柱状部３５は容器１の周方向に長い略長円形の断面を有している。
【００９７】
（実施形態２）
図１５〜２４は、実施形態２にかかる容器１を示すものである。この実施形態２の容器１は、実施形態１のものに対し、形状が異なっている。以下、実施形態１と異なる部分について詳細に説明する。
【００９８】
すなわち、図１７に示すように、実施形態２の容器１の設置用板部５０は、葉っぱをモチーフにした細長い形状であり、全体が例えば透光性を有する薄い緑色等に着色されている。設置用板部５０の内面５０ａには、外周面５６ａ及び内周面５６ｂを有する突条部５６が形成されている。図２１に示すように、突条部５６は、設置用板部５０の長手方向中央部よりも一方側に偏位している。内面５０ａにおける突条部５６の内側部分が毒餌剤載置面５０ｃである。設置用板部５０の内面５０ａの外周側には、アリ案内面となる傾斜面５０ｄが形成されている。傾斜面５０ｄは、設置用板部５０の略全周に亘るように形成されており、平面視で湾曲している。
【００９９】
設置用板部５０は、バリアフリー構造とされており、図１５に示すように、容器１の側部は開放されるようになっている。
【０１００】
図１７に示すように、設置用板部５０の外面５０ｂには、凹部５０ｇが形成されている。凹部５０ｇは葉の葉脈を形作るように延びている。
【０１０１】
図１６に示すように、対向板部６０は、設置用板部５０と略同じ形状とされており、図１９に示すように、対向板部６０の内面６０ａには、外周面６６ａ及び内周面６６ｂを有する突条部６６と、アリ案内面となる傾斜面６０ｄとが形成されている。図１５に示すように、対向板部６０の外面６０ｂには、凹部６０ｇが形成されている。対向板部６０もバリアフリー構造である。
【０１０２】
図１６に示すように、この実施形態２の容器１は、第１〜第４柱状部７１〜７４を備えている。第１〜第４柱状部７１〜７４は、略長円断面を有している。図１８に示すように、第１〜第４柱状部７１〜７４は、それぞれ、設置用板部５０と一体成形される基端側部７１ａ〜７４ａと、対向板部６０と一体成形される先端側部７１ｂ〜７４ｂとを備えている。
【０１０３】
第１柱状部７１は、容器１の長手方向一端側（図１７における下側）に位置している。また、第２柱状部７２及び第３柱状部７３は、容器１の長手方向中央部近傍に位置している。また、第４柱状部７４は、容器１の長手方向他端側（図１７における上側）に位置している。
【０１０４】
図２１に示すように、先端側部７１ｂ〜７４ｂは筒状とされている。図１５に示すように、対向板部６０には、先端側部７１ｂ〜７４ｂの中空部分に連通する貫通孔６０ｆが形成されている。
【０１０５】
基端側部７１ａ〜７４ａの先端面と、先端側部７１ｂ〜７４ｂの突出方向先端面とは溶着されている。
【０１０６】
また、この実施形態２の容器１も扁平形状となるように各部の寸法が設定されている。
【０１０７】
使用前の容器１は、図２２及び図２３に示すように、実施形態１と同様に、１０個が連結された状態で一体化されている。設置用板部５０は連結片８０により連結され、対向板部６０は連結片８１により連結されている。
【０１０８】
容器１が、設置用板部５０が設置場所に接する姿勢で置かれた場合には、設置用板部５０の外周側に周壁部が無く開放されているので、実施形態１のものと同様に、アリが毒餌剤Ａまで達し易くなる。この状態では、対向板部６０の長手方向の両側が庇部として機能することになり、アリが好んで出入りする暗い環境を容器１内部に作り出すことが可能になる。
【０１０９】
また、対向板部２０が設置場所に接する姿勢で設置された場合についても、同様に、アリが毒餌剤Ａまで達し易くなる。
【０１１０】
以上説明したように、この実施形態２にかかる容器１によれば、設置用板部５０の外周側をバリアフリー構造として開放したので、実施形態１と同様に、アリの防除力を向上させることができる。
【０１１１】
尚、上記実施形態２では、各容器１に柱状部を４本設けているが、柱状部の数はこれに限られるものではない。
【０１１２】
また、実施形態１、２では、１０個の容器１を１つにして製品１００を構成しているが、製品１００を構成する容器１の個数はこれに限られるものではなく、任意の個数で構成すればよい。また、１つの容器１を単独で流通させるようにしてもよい。
【０１１３】
また、上記実施形態１、２では、各容器１を一体化する際、設置用板部１０側の連結部８０を全て連結するようにしているが、これに限らず、一部を非連結とするようにしてもよい。これにより、使用前に容器１を簡単に分離させることができる。
【０１１４】
また、容器１の材質は、樹脂以外にも、例えば、紙であってもよい。
【０１１５】
また、実施形態１、２の容器１の形状は一例を示すものであり、花や葉以外の形状であってもよいのはもちろんのことである。
【産業上の利用可能性】
【０１１６】
以上説明したように、本発明にかかるアリ用の毒餌剤容器は、アリを防除するのに適している。
【符号の説明】
【０１１７】
１              容器
１０、５０      設置用板部
１０ｃ、５０ｃ  毒餌剤載置面
１０ｄ、５０ｄ  傾斜面（アリ案内面）
１１〜１５      第１〜第５延出部（庇部）
２０、６０      対向板部
３１〜３３      柱状部
８０            連結部
Ａ              毒餌剤
Ｇ              地面、床面（設置面）
【図１】
0005481210.tif 000002
【図２】
0005481210.tif 000003
【図３】
0005481210.tif 000004
【図４】
0005481210.tif 000005
【図５】
0005481210.tif 000006
【図６】
0005481210.tif 000007
【図７】
0005481210.tif 000008
【図８】
0005481210.tif 000009
【図９】
0005481210.tif 000010
【図１０】
0005481210.tif 000011
【図１１】
0005481210.tif 000012
【図１２】
0005481210.tif 000013
【図１３】
0005481210.tif 000014
【図１４】
0005481210.tif 000015
【図１５】
0005481210.tif 000016
【図１６】
0005481210.tif 000017
【図１７】
0005481210.tif 000018
【図１８】
0005481210.tif 000019
【図１９】
0005481210.tif 000020
【図２０】
0005481210.tif 000021
【図２１】
0005481210.tif 000022
【図２２】
0005481210.tif 000023
【図２３】
0005481210.tif 000024
【図２４】
0005481210.tif 000025